【手続補正書】
【提出日】平成21年4月9日(2009.4.9)
【手続補正１】
【補正対象書類名】特許請求の範囲
【補正対象項目名】全文
【補正方法】変更
【補正の内容】
【特許請求の範囲】
【請求項１】
下記の化合物をマンニッヒ縮合にて縮合させることにより製造されたマンニッヒ縮合物：
（ａ）ポリイソブチル基がメチルビニリデン異性体を少なくとも５０重量％含むポリイソブテンから誘導され、かつ数平均分子量が４００乃至５０００の範囲にあるポリイソブチル置換ヒドロキシ芳香族化合物、
（ｂ）アルデヒド、
（ｃ）アミノ酸又はそのエステル誘導体、および
（ｄ）アルカリ金属塩基。
【請求項２】
（ａ）のポリイソブチル置換ヒドロキシ芳香族化合物のポリイソブチル基が、メチルビニリデン異性体を少なくとも７０重量％含むポリイソブテンから誘導される請求項１に記載のマンニッヒ縮合物。
【請求項３】
ポリイソブチル基が、メチルビニリデン異性体を少なくとも９０重量％含むポリイソブテンから誘導される請求項２に記載のマンニッヒ縮合物。
【請求項４】
ポリイソブチル基の数平均分子量が５００乃至２５００の範囲にある請求項１に記載のマンニッヒ縮合物。
【請求項５】
ポリイソブチル基の数平均分子量が７００乃至１５００の範囲にある請求項４に記載のマンニッヒ縮合物。
【請求項６】
ポリイソブチル基の数平均分子量が７００乃至１１００の範囲にある請求項５に記載のマンニッヒ縮合物。
【請求項７】
アルデヒドがホルムアルデヒドまたはパラホルムアルデヒドである請求項１に記載のマンニッヒ縮合物。
【請求項８】
アルデヒドがパラホルムアルデヒドである請求項７に記載のマンニッヒ縮合物。
【請求項９】
ポリイソブチル置換ヒドロキシ芳香族化合物が希釈剤中に存在する請求項１に記載のマンニッヒ縮合物。
【請求項１０】
希釈剤が炭素原子数１〜１０のアルカノールである請求項９に記載のマンニッヒ縮合物。
【請求項１１】
アルカノールがメタノールである請求項１０に記載のマンニッヒ縮合物。
【請求項１２】
塩基がアルカリ金属水酸化物である請求項１に記載のマンニッヒ縮合物。
【請求項１３】
アルカリ金属水酸化物が水酸化ナトリウムである請求項１２に記載のマンニッヒ縮合物。
【請求項１４】
アミノ酸がグリシンである請求項１に記載のマンニッヒ縮合物。
【請求項１５】
下記の物質をマンニッヒ縮合で縮合させることにより製造されたマンニッヒ縮合物：
（ａ）下記式を有するポリイソブチル置換ヒドロキシ芳香族化合物、
【化１】
2006291211.tif 000001
（式中、Ｒ1は、メチルビニリデン異性体を少なくとも５０重量％含むポリイソブテンか
ら誘導され、かつ数平均分子量が４００乃至５０００の範囲にあるポリイソブチルであり、Ｒ2は、水素または炭素原子数１〜１０の低級アルキルであり、そしてＲ3は、水素または−ＯＨである）
（ｂ）ホルムアルデヒドまたは下記式を有するアルデヒド、
【化２】
2006291211.tif 000002
（式中、Ｒ’は、炭素原子数１〜１０の分枝鎖又は線状アルキル、炭素原子数３〜１０のシクロアルキル、炭素原子数６〜１０のアリール、炭素原子数７〜２０のアルカリール、または炭素原子数７〜２０のアラルキルである）
（ｃ）下記式を有するアミノ酸又はそのエステル誘導体、および
【化３】
2006291211.tif 000003
（式中、Ｗは、−［ＣＨＲ”］−mであり（ただし、各々のＲ”は独立に、Ｈ、炭素原子
数１〜１５のアルキル、または炭素原子数１〜１０でアミノ、アミド、ベンジル、カルボキシル、ヒドロキシル、ヒドロキシフェニル、イミダゾリル、イミノ、フェニル、スルフィドまたはチオールからなる群より選ばれる一以上の置換基を持つ置換アルキルであり、そしてｍは１〜４の整数である）、そしてＡは、水素または炭素原子数１〜６のアルキルである）
（ｄ）アルカリ金属塩基。
【請求項１６】
下記Ｉ式を有するマンニッヒ縮合物：
【化４】
2006291211.tif 000004
（式中、各々のＲは独立に、−ＣＨＲ’−であり（ただし、Ｒ’は、炭素原子数１〜１０の分枝鎖又は線状アルキル、炭素原子数３〜１０のシクロアルキル、炭素原子数６〜１０のアリール、炭素原子数７〜２０のアルカリール、または炭素原子数７〜２０のアラルキルである）、Ｒ1は、メチルビニリデン異性体を少なくとも５０重量％含むポリイソブテンから誘導され、かつ数平均分子量が４００乃至５０００の範囲にあるポリイソブチル基であり、
Ｘは、水素、アルカリ金属イオンまたは炭素原子数１〜６のアルキルであり、
Ｗは、−［ＣＨＲ”］−mであり（ただし、各々のＲ”は独立に、Ｈ、炭素原子数１〜
１５のアルキル、または炭素原子数１〜１０でアミノ、アミド、ベンジル、カルボキシル、ヒドロキシル、ヒドロキシフェニル、イミダゾリル、イミノ、フェニル、スルフィドまたはチオールからなる群より選ばれた一以上の置換基を持つ置換アルキルであり、そしてｍは１〜４の整数である）、
Ｙは、水素、炭素原子数１〜１０のアルキル、−ＣＨＲ’ＯＨ（ただし、Ｒ’は上に定義した通りである）、または下記の基であり、
【化５】
2006291211.tif 000005
（ただし、Ｙ’は−ＣＨＲ’ＯＨであり（ただし、Ｒ’は上に定義した通りである）、そしてＲ、ＸおよびＷは上に定義した通りである）
Ｚは、ヒドロキシル、下記式のヒドロキシフェニル基であり、
【化６】
2006291211.tif 000006
（式中、Ｒ、Ｒ1、Ｙ’、ＸおよびＷは上に定義した通りである）
そしてｎは、０〜２０の整数である、ただし、ｎ＝０のときＺは下記の基でなければならないとの条件が付く：
【化７】
2006291211.tif 000007
（ただし、Ｒ、Ｒ1、Ｙ’、ＸおよびＷは上に定義した通りである））
【請求項１７】
（ａ）のポリイソブチル置換ヒドロキシ芳香族化合物のポリイソブチル基が、メチルビニリデン異性体を少なくとも７０重量％含むポリイソブテンから誘導される請求項１６に記載のマンニッヒ縮合物。
【請求項１８】
ポリイソブチル基が、メチルビニリデン異性体を少なくとも９０重量％含むポリイソブテンから誘導される請求項１７に記載のマンニッヒ縮合物。
【請求項１９】
Ｒ1が、数平均分子量が５００乃至２５００のポリイソブチル基である請求項１６に記載のマンニッヒ縮合物。
【請求項２０】
Ｒ1が、数平均分子量が７００乃至１５００のポリイソブチル基である請求項１９に記載のマンニッヒ縮合物。
【請求項２１】
Ｒ1が、数平均分子量が７００乃至１１００のポリイソブチル基である請求項２０に記載のマンニッヒ縮合物。
【請求項２２】
炭化水素媒体において金属イオンが触媒となる酸化反応および重合反応を防止する方法であって、下記Ｉ式を有する化合物を有効量添加することにより金属イオンを封鎖することからなる方法：
【化８】
2006291211.tif 000008
（式中、各々のＲは独立に、−ＣＨＲ’−であり（ただし、Ｒ’は、炭素原子数１〜１０の分枝鎖又は線状アルキル、炭素原子数３〜１０のシクロアルキル、炭素原子数６〜１０のアリール、炭素原子数７〜２０のアルカリール、または炭素原子数７〜２０のアラルキルである）、Ｒ1は、メチルビニリデン異性体を少なくとも５０重量％含むポリイソブテンから誘導され、かつ数平均分子量が４００乃至５０００の範囲にあるポリイソブチル基であり、
Ｘは、水素、アルカリ金属イオンまたは炭素原子数１〜６のアルキルであり、
Ｗは、−［ＣＨＲ”］−mであり（ただし、各々のＲ”は独立に、Ｈ、炭素原子数１〜
１５のアルキル、または炭素原子数１〜１０でアミノ、アミド、ベンジル、カルボキシル、ヒドロキシル、ヒドロキシフェニル、イミダゾリル、イミノ、フェニル、スルフィドまたはチオールからなる群より選ばれた一以上の置換基を持つ置換アルキルであり、そしてｍは１〜４の整数である）、
Ｙは、水素、炭素原子数１〜１０のアルキル、−ＣＨＲ’ＯＨ（ただし、Ｒ’は上に定義した通りである）、または下記の基であり、
【化９】
2006291211.tif 000009
（ただし、Ｙ’は−ＣＨＲ’ＯＨであり（ただし、Ｒ’は上に定義した通りである）、そしてＲ、ＸおよびＷは上に定義した通りである）
Ｚは、ヒドロキシル、下記式のヒドロキシフェニル基であり、
【化１０】
2006291211.tif 000010
（式中、Ｒ、Ｒ1、Ｙ’、ＸおよびＷは上に定義した通りである）
そしてｎは、０〜２０の整数である、ただし、ｎ＝０のときＺは下記の基でなければならないとの条件が付く：
【化１１】
2006291211.tif 000011
（ただし、Ｒ、Ｒ1、Ｙ’、ＸおよびＷは上に定義した通りである））
【請求項２３】
ＲがＣＨ2であり、Ｒ1がメチルビニリデン異性体を少なくとも５０重量％含むポリイソブテンから誘導され、かつ数平均分子量が７００乃至１１００であるポリイソブチル基であり、ＷがＣＨ2であり、Ｘがナトリウムイオンであり、そしてｎが０〜２０の整数である請求項２２に記載の方法。
【請求項２４】
炭化水素媒体において金属イオンが触媒となる酸化反応および重合反応を防止する方法
であって、請求項１５に記載のマンニッヒ縮合物を有効量添加することにより金属イオンを封鎖することからなる方法。
【請求項２５】
下記の化合物を混合し反応させることからなるマンニッヒ縮合物の製造方法：
（ａ）下記式を有するポリイソブチル置換ヒドロキシ芳香族化合物、
【化１２】
2006291211.tif 000012
（式中、Ｒ1は、メチルビニリデン異性体を少なくとも５０重量％含むポリイソブテンか
ら誘導され、かつ数平均分子量が４００乃至５０００の範囲にあるポリイソブチルであり、Ｒ2は、水素または炭素原子数１〜１０の低級アルキルであり、そしてＲ3は、水素または−ＯＨである）
（ｂ）ホルムアルデヒドまたは下記式を有するアルデヒド、
【化１３】
2006291211.tif 000013
（式中、Ｒ’は、炭素原子数１〜１０の分枝鎖又は線状アルキル、炭素原子数３〜１０のシクロアルキル、炭素原子数６〜１０のアリール、炭素原子数７〜２０のアルカリール、または炭素原子数７〜２０のアラルキルである）
（ｃ）下記式を有するアミノ酸又はそのエステル誘導体、および
【化１４】
2006291211.tif 000014
（式中、Ｗは、−［ＣＨＲ”］−mであり（ただし、各々のＲ”は独立に、Ｈ、炭素原子
数１〜１５のアルキル、または炭素原子数１〜１０でアミノ、アミド、ベンジル、カルボキシル、ヒドロキシル、ヒドロキシフェニル、イミダゾリル、イミノ、フェニル、スルフィドまたはチオールからなる群より選ばれた一以上の置換基を持つ置換アルキルであり、そしてｍは１〜４の整数である）、そしてＡは、水素または炭素原子数１〜６のアルキルである）
（ｄ）アルカリ金属塩基の存在下で、マンニッヒ縮合物を得る。
【請求項２６】
（ａ）のポリイソブチル置換ヒドロキシ芳香族化合物のポリイソブチル基が、メチルビ
ニリデン異性体を少なくとも７０重量％含むポリイソブテンから誘導される請求項２５に記載の方法。
【請求項２７】
ポリイソブチル基が、メチルビニリデン異性体を少なくとも９０重量％含むポリイソブテンから誘導される請求項２６に記載の方法。
【請求項２８】
（ａ）のＲ1のポリイソブチルの数平均分子量が５００乃至２５００である請求項２５に記載の方法。
【請求項２９】
（ａ）のＲ1のポリイソブチルの数平均分子量が７００乃至１５００である請求項２８に記載の方法。
【請求項３０】
（ａ）のＲ1のポリイソブチルの数平均分子量が７００乃至１１００である請求項２９に記載の方法。
【請求項３１】
（ｂ）のアルデヒドがホルムアルデヒドまたはパラホルムアルデヒドである請求項２５に記載の方法。
【請求項３２】
アルデヒドがパラホルムアルデヒドである請求項３１に記載の方法。
【請求項３３】
（ａ）のポリイソブチル置換ヒドロキシ芳香族化合物が希釈剤中に存在する請求項２５に記載の方法。
【請求項３４】
希釈剤が炭素原子数１〜１０のアルカノールである請求項３３に記載の方法。
【請求項３５】
アルカノールがメタノールである請求項３４に記載の方法。
【請求項３６】
（ｄ）の塩基がアルカリ金属水酸化物である請求項２５に記載の方法。
【請求項３７】
アルカリ金属水酸化物が水酸化ナトリウムである請求項３６に記載の方法。
【請求項３８】
（ｃ）のアミノ酸がグリシンである請求項２５に記載の方法。
【請求項３９】
主要量の潤滑粘度の油、および少量で有効量の一種以上の下記Ｉ式を有するマンニッヒ縮合物を含む潤滑油組成物：
【化１５】
2006291211.tif 000015
（式中、各々のＲは独立に、−ＣＨＲ’−であり（ただし、Ｒ’は、炭素原子数１〜１０の分枝鎖又は線状アルキル、炭素原子数３〜１０のシクロアルキル、炭素原子数６〜１０のアリール、炭素原子数７〜２０のアルカリール、または炭素原子数７〜２０のアラルキルである）、Ｒ1は、メチルビニリデン異性体を少なくとも５０重量％含むポリイソブテンから誘導され、かつ数平均分子量が４００乃至５０００の範囲にあるポリイソブチル基であり、
Ｘは、水素、アルカリ金属イオンまたは炭素原子数１〜６のアルキルであり、
Ｗは、−［ＣＨＲ”］−mであり（ただし、各々のＲ”は独立に、Ｈ、炭素原子数１〜
１５のアルキル、または炭素原子数１〜１０でアミノ、アミド、ベンジル、カルボキシル、ヒドロキシル、ヒドロキシフェニル、イミダゾリル、イミノ、フェニル、スルフィドまたはチオールからなる群より選ばれた一以上の置換基を持つ置換アルキルであり、そしてｍは１〜４の整数である）、
Ｙは、水素、炭素原子数１〜１０のアルキル、−ＣＨＲ’ＯＨ（ただし、Ｒ’は上に定義した通りである）、または下記の基であり、
【化１６】
2006291211.tif 000016
（ただし、Ｙ’は−ＣＨＲ’ＯＨであり（ただし、Ｒ’は上に定義した通りである）、そしてＲ、ＸおよびＷは上に定義した通りである）
Ｚは、ヒドロキシル、下記式のヒドロキシフェニル基であり、
【化１７】
2006291211.tif 000017
（式中、Ｒ、Ｒ1、Ｙ’、ＸおよびＷは上に定義した通りである）
そしてｎは、０〜２０の整数である、ただし、ｎ＝０のときＺは下記の基でなければならないとの条件が付く：
【化１８】
2006291211.tif 000018
（ただし、Ｒ、Ｒ1、Ｙ’、ＸおよびＷは上に定義した通りである））
【請求項４０】
ＲがＣＨ2であり、Ｒ1がメチルビニリデン異性体を少なくとも５０重量％含むポリイソブテンから誘導され、かつ数平均分子量が７００乃至１１００であるポリイソブチル基であり、ＷがＣＨＲ”であり（ただし、Ｒ”はＨである）、Ｘがナトリウムイオンであり、そしてｎが０〜２０の間の整数である請求項３９に記載の潤滑油組成物。
【請求項４１】
主要量の潤滑粘度の油、および少量で有効量の一種以上の請求項１５に記載のマンニッヒ縮合物を含む潤滑油組成物。
【請求項４２】
９０重量％乃至１０重量％の潤滑粘度の油、および１０重量％乃至９０重量％の一種以上の下記Ｉ式を有するマンニッヒ縮合物を含む潤滑油濃縮物：
【化１９】
2006291211.tif 000019
（式中、各々のＲは独立に、−ＣＨＲ’−であり（ただし、Ｒ’は、炭素原子数１〜１０の分枝鎖又は線状アルキル、炭素原子数３〜１０のシクロアルキル、炭素原子数６〜１０のアリール、炭素原子数７〜２０のアルカリール、または炭素原子数７〜２０のアラルキルである）、Ｒ1は、メチルビニリデン異性体を少なくとも５０重量％含むポリイソブテンから誘導され、かつ数平均分子量が４００乃至５０００の範囲にあるポリイソブチル基であり、
Ｘは、水素、アルカリ金属イオンまたは炭素原子数１〜６のアルキルであり、
Ｗは、−［ＣＨＲ”］−mであり（ただし、各々のＲ”は独立に、Ｈ、炭素原子数１〜
１５のアルキル、または炭素原子数１〜１０でアミノ、アミド、ベンジル、カルボキシル、ヒドロキシル、ヒドロキシフェニル、イミダゾリル、イミノ、フェニル、スルフィドまたはチオールからなる群より選ばれた一以上の置換基を持つ置換アルキルであり、そしてｍは１〜４の整数である）、
Ｙは、水素、炭素原子数１〜１０のアルキル、−ＣＨＲ’ＯＨ（ただし、Ｒ’は上に定義した通りである）、または下記の基であり、
【化２０】
2006291211.tif 000020
（ただし、Ｙ’は−ＣＨＲ’ＯＨであり（ただし、Ｒ’は上に定義した通りである）、そしてＲ、ＸおよびＷは上に定義した通りである）
Ｚは、ヒドロキシル、下記式のヒドロキシフェニル基であり、
【化２１】
2006291211.tif 000021
（式中、Ｒ、Ｒ1、Ｙ’、ＸおよびＷは上に定義した通りである）
そしてｎは、０〜２０の整数である、ただし、ｎ＝０のときＺは下記の基でなければならないとの条件が付く：
【化２２】
2006291211.tif 000022
（ただし、Ｒ、Ｒ1、Ｙ’、ＸおよびＷは上に定義した通りである））
【請求項４３】
ＲがＣＨ2であり、Ｒ1がメチルビニリデン異性体を少なくとも５０重量％含むポリイソブテンから誘導され、かつ数平均分子量が７００乃至１０００であるポリイソブチル基であり、ＷがＣＨＲ”であり（ただし、Ｒ”はＨである）、Ｘがナトリウムイオンであり、そしてｎが０〜２０の間の整数である請求項４２に記載の潤滑油濃縮物。
【請求項４４】
９０重量％乃至１０重量％の潤滑粘度の油、および１０重量％乃至９０重量％の一種以上の請求項１５に記載のマンニッヒ縮合物を含む潤滑油濃縮物。
【請求項４５】
主要量のガソリン又はディーゼル燃料の沸点範囲の沸点を有する炭化水素、および少量で有効量の一種以上の下記Ｉ式を有するマンニッヒ縮合物を含む燃料組成物：
【化２３】
2006291211.tif 000023
（式中、各々のＲは独立に、−ＣＨＲ’−であり（ただし、Ｒ’は、炭素原子数１〜１０の分枝鎖又は線状アルキル、炭素原子数３〜１０のシクロアルキル、炭素原子数６〜１０のアリール、炭素原子数７〜２０のアルカリール、または炭素原子数７〜２０のアラルキルである）、Ｒ1は、メチルビニリデン異性体を少なくとも５０重量％含むポリイソブテンから誘導され、かつ数平均分子量が４００乃至５０００の範囲にあるポリイソブチル基であり、
Ｘは、水素、アルカリ金属イオンまたは炭素原子数１〜６のアルキルであり、
Ｗは、−［ＣＨＲ”］−mであり（ただし、各々のＲ”は独立に、Ｈ、炭素原子数１〜１５のアルキル、または炭素原子数１〜１０でアミノ、アミド、ベンジル、カルボキシル、ヒドロキシル、ヒドロキシフェニル、イミダゾリル、イミノ、フェニル、スルフィドまたはチオールからなる群より選ばれた一以上の置換基を持つ置換アルキルであり、そしてｍは１〜４の整数である）、
Ｙは、水素、炭素原子数１〜１０のアルキル、−ＣＨＲ’ＯＨ（ただし、Ｒ’は上に定義した通りである）、または下記の基であり、
【化２４】
2006291211.tif 000024
（ただし、Ｙ’は−ＣＨＲ’ＯＨであり（ただし、Ｒ’は上に定義した通りである）、そしてＲ、ＸおよびＷは上に定義した通りである）
Ｚは、ヒドロキシル、下記式のヒドロキシフェニル基であり、
【化２５】
2006291211.tif 000025
（式中、Ｒ、Ｒ1、Ｙ’、ＸおよびＷは上に定義した通りである）
そしてｎは、０〜２０の整数である、ただし、ｎ＝０のときＺは下記の基でなければならないとの条件が付く：
【化２６】
2006291211.tif 000026
（ただし、Ｒ、Ｒ1、Ｙ’、ＸおよびＷは上に定義した通りである））
【請求項４６】
ＲがＣＨ2であり、Ｒ1がメチルビニリデン異性体を少なくとも５０重量％含むポリイソブテンから誘導され、かつ数平均分子量が７００乃至１０００であるポリイソブチル基であり、ＷがＣＨＲ”であり（ただし、Ｒ”はＨである）、Ｘがナトリウムイオンであり、そしてｎが０〜２０の間の整数である請求項４５に記載の燃料組成物。
【請求項４７】
主要量のガソリン又はディーゼル燃料の沸点範囲の沸点を有する炭化水素、および少量で有効量の一種以上の請求項１５に記載のマンニッヒ縮合物を含む燃料組成物。
【請求項４８】
６５℃乃至２０４℃の範囲の沸点を有する不活性で安定な親油性有機溶剤、および１０重量％乃至９０重量％の一種以上の下記式を有するマンニッヒ縮合物を含む燃料濃縮物：
【化２７】
2006291211.tif 000027
（式中、Ｒは、ＣＨ2またはＣＨＲ’のいずれかであり（ただし、Ｒ’は、炭素原子数１
〜１０の分枝鎖又は線状アルキル、炭素原子数３〜１０のシクロアルキル、炭素原子数６〜１０のアリール、炭素原子数７〜２０のアルカリール、または炭素原子数７〜２０のアラルキルである）、Ｒ1は、メチルビニリデン異性体を少なくとも５０重量％含むポリイソブテンから誘導され、かつ数平均分子量が４００乃至５０００の範囲にあるポリイソブチル基であり、
Ｘは、水素、アルカリ金属イオンまたは炭素原子数１〜６のアルキルであり、
Ｗは、−［ＣＨＲ”］−mであり（ただし、各々のＲ”は独立に、Ｈ、炭素原子数１〜
１５のアルキル、または炭素原子数１〜１０でアミノ、アミド、ベンジル、カルボキシル、ヒドロキシル、ヒドロキシフェニル、イミダゾリル、イミノ、フェニル、スルフィドまたはチオールからなる群より選ばれた一以上の置換基を持つ置換アルキルであり、そしてｍは１〜４の整数である）、
Ｙは、水素、炭素原子数１〜１０のアルキル、−ＣＨＲ’ＯＨ（ただし、Ｒ’は上に定義した通りである）、または下記の基であり、
【化２８】
2006291211.tif 000028
（ただし、Ｙ’は−ＣＨＲ’ＯＨであり（ただし、Ｒ’は上に定義した通りである）、そしてＲ、ＸおよびＷは上に定義した通りである）
Ｚは、ヒドロキシル、下記式のヒドロキシフェニル基であり、
【化２９】
2006291211.tif 000029
（式中、Ｒ、Ｒ1、Ｙ’、ＸおよびＷは上に定義した通りである）
そしてｎは、０〜２０の整数である、ただし、ｎ＝０のときＺは下記の基でなければならないとの条件が付く：
【化３０】
2006291211.tif 000030
（ただし、Ｒ、Ｒ1、Ｙ’、ＸおよびＷは上に定義した通りである））
【請求項４９】
ＲがＣＨ2であり、Ｒ1がメチルビニリデン異性体を少なくとも５０重量％含むポリイソブテンから誘導され、かつ数平均分子量が７００乃至１０００であるポリイソブチル基であり、ＷがＣＨＲ”であり（ただし、Ｒ”はＨである）、Ｘがナトリウムイオンであり、そしてｎが０〜２０の間の整数である請求項４８に記載の燃料濃縮物。
【請求項５０】
６５℃乃至２０４℃の範囲の沸点を有する不活性で安定な親油性有機溶剤、および１０重量％乃至９０重量％の一種以上の請求項１５に記載のマンニッヒ縮合物を含む燃料濃縮物。